(57)【要約】【課題】シャワーヘッドの取付位置に係わらず、ホースの出し入れを円滑に案内し、操作性を向上させると共に、無理な操作による損傷などが生じないようにする。また、ホースを伝って流れ落る水滴が確実に水受けトレイ内に滴下するように案内し、キャビネット内部の収納部が水滴で汚れたり、不潔になったりすることがないようにする。【解決手段】洗面化粧台や流し台のキャビネット内に取り付けられ、シャワーヘッドに接続されたホースを案内保持するホースガイド１を、板状の取付部２と、この取付部２の下側前方に円弧状に突出し、上方が拡開した正面視、漏斗状の挿通部３とを備えたものとした。そして、この漏斗状の挿通部３で、ホースが斜めに引っ張られてもホースの引出しが円滑に案内され、かつ、ホースを伝った水滴も、その内側に集められるようにした。【選択図】  図１
2004339827.tif 000002
【特許請求の範囲】
【請求項１】
洗面化粧台や流し台のカウンター部分に取り付けられたシャワーヘッドと水栓本体とを連結するホースが弛み収納されたキャビネット内に取り付けられるシャワーヘッドのホースガイドであって、
このホースガイドは、キャビネットの背板に固定される取付部と、取付部の前方に円弧状に突出し、上方が拡開した正面視、漏斗状の挿通部とからなり、シャワーヘッドの取付位置に係わらず、ホースの出し入れが円滑に案内されるようになされたものであることを特徴とするシャワーヘッドのホースガイド。
【請求項２】
挿通部の背面側が開放されると共に、該挿通部の下端両側が細長片で連結されたことを特徴とする請求項１記載のシャワーヘッドのホースガイド。
【発明の詳細な説明】
【０００１】
【発明の属する技術分野】
本発明は、引出し式のシャワーヘッドを備えた流し台や洗面化粧台のキャビネット内に設けられるホースガイドに関する。
【０００２】
【従来の技術】
従来、この種のホースガイドとしては、図８に示すように断面Ω形の嵌着部２１に環状部２２を一体形成したものがあり、このホースガイド２０は、図示しない洗面化粧台などのカウンター上に取り付けられた水栓部から下向きに延出された接続管とシャワーヘッドのホースとの接続部（図示せず）を、上記嵌着部２１で外嵌することにより、この接続部に移動不可に取り付けられるようになっており、環状部２２には、この接続部から一旦下方に引き出された上記ホース（図示せず）が上方に折り返されて挿通している。
【０００３】
なお、この環状部２２を挿通したホースは、カウンターを挿抜可能に貫通して、カウンター上に引出し可能に設けられたシャワーヘッドに連結されている。よって、シャワーヘッドを出し入れした際、上下に移動するホースは、この環状部２２で案内され、その下側の弛み部分が、常にキャビネット内に設けられた水受けトレイ上に位置するようになっていた。（例えば、特許文献１参照）
【０００４】
また、カウンター上に取り付けられた水栓部から下向きに延出された接続管とシャワーヘッドのホースとの接続部より下方に、ホースの垂下する部分と上昇する部分を包囲するように取り付けられ、これでホースを良好に束ねて横方向への拡がりを防止するようにしたものもあった。（例えば、特許文献２参照）
【０００５】
【特許文献１】
特公平８−３１９５号公報（第３頁、第３図）
【特許文献２】
特許第３３５８０５０号公報（第２−３頁、第４図）
【発明が解決しようとする課題】
【０００６】
上述した従来のホースガイドは、何れもシャワーヘッドから垂下したホースを上下方向に移動可能に保持して、ホースが下方で拡がらないように束ねるようになっているが、ホースが移動可能に挿通した個所は、共に筒形に形成されていたため、シャワーヘッドが、その直上位置に配置されていないと、ホースの案内が円滑に行えず、特に一旦引き出したシャワーヘッドを戻した際には、ホースが再び元の位置に戻らなくなるおそれがあった。また、無理な操作により、ホースやその接続個所などが損傷を受け、水漏れを生じたりするおそれもあった。
【０００７】
さらに、上記従来のホースガイドは、何れもホースを伝って流れ落ちる水滴が円滑にその下方に配置された水受けトレイへと案内されず、ホースガイドから直接、キャビネットの床面上に落ちたり、あるいはこのホースガイドを伝ってキャビネットの背板側に流れたりするおそれもあった。
【０００８】
本発明は、上記従来のホースガイドが有していた問題点の解決を課題とする。
【０００９】
【課題を解決するための手段】
上記の課題を解決するために、本発明のうち、請求項１記載の発明は、洗面化粧台や流し台のカウンター部分に取り付けられたシャワーヘッドと水栓本体とを連結するホースが弛み収納されたキャビネット内に取り付けられるシャワーヘッドのホースガイドを、キャビネットの背板に固定される取付部と、取付部の前方に円弧状に突出し、上方が拡開した正面視、漏斗状の挿通部とからなるものとし、シャワーヘッドの取付位置に係わらず、ホースの出し入れが円滑に案内されるようにしたことを特徴とする。
【００１０】
請求項２記載の発明は、請求項１記載の発明の構成に、挿通部の背面側が開放され、この挿通部の下端両側が細長片で連結された構成を加えたことを特徴とする。
【００１１】
【発明の実施の形態】
以下、本発明を図示した実施の形態に基づき詳細に説明する。
【００１２】
図１は、本発明に係るホースガイドの実施形態を示した斜視図、図２は、このホースガイドが取り付けられた洗面化粧台キャビネットの側面の透視図である。また、図３は、図２の要部拡大断面図、図４は、ホースを保持した状態を示したホースガイドの正面図である。
【００１３】
図示したように本発明のホースガイド１は、所定位置に取付用のねじ孔２ａが設けられた板状の取付部２と、この取付部２の下側前方（図１において紙面の手前側）に略半円弧状に突出し、上方が拡開した正面視、漏斗状の挿通部３とからなり、例えば、合成樹脂で一体成形されている。そして、このホースガイド１は、引出し式のシャワーヘッド５が設けられた流し台や洗面化粧台のキャビネット１０内に、図２に示すように取付部２を背板１１に固定し、取り付けられるようになっている。
【００１４】
ここにおいて、取付対象となる流し台や洗面化粧台は、図５乃至図７に示すように、キャビネット１０のカウンター１２上に、シャワーヘッド５が引出し可能に設けられると共に、このシャワーヘッド５とホース７を介して接続された水栓６が設けられたものである。そして、前記ホース７はシャワーヘッド５の引出しを妨げないようにキャビネット１０内に弛み収納されており、このキャビネット１０内に垂れ下がったホース７のシャワーヘッド５側がホースガイド１の挿通部３を、上下方向に挿通している。
【００１５】
なお、このホースガイド１と水栓６との間でＵ字形に垂れ下がったホース７の直下位置には、図２に示すように、このホース７を伝って滴り落ちる水滴（図示せず）を受けるための水受けトレイ１５が配置されている。また、図示していないが、上記水栓６は、キャビネット１０の内部において、給湯・給水用の配管と、別途、接続されている。よって、この水栓６でシャワーヘッド５への湯水の供給がコントロールされ、使用者は、シャワーヘッド５から吐出する湯水で必要な作業が行え、かつ、必要に応じてこのシャワーヘッド５をカウンター１２から引き上げ、あるいは、引き出して作業に最適な状態にして使用することもできるものである。
【００１６】
そして、このようにしてシャワーヘッド５を引き出すと、このシャワーヘッド５に接続されたホース７も引っ張られて、カウンター１２上に引き出され、シャワーヘッド５を元に戻すと、ホース７がカウンター１２内に挿入されることとなり、使用時、あるいは使用後、このホース７を伝った水滴は、Ｕ字形に曲がったホース７の下端から滴下し、その下方に位置した水受けトレイ１５で受けられるようになっている。
【００１７】
本発明のホースガイド１は、このようにシャワーヘッド５が出し入れされても、Ｕ字形に垂れ下がったホース７の片側を位置決め保持し、ホース７がキャビネット１０内の収納部１３に侵入したり、水受けトレイ１５上から外れた位置に移動しないようにするものである。
【００１８】
さらに本発明のホースガイド１は、挿通部３が略漏斗状に上方が拡開した形状であるので、例え、シャワーヘッド５が、図６や図７に示すように、キャビネット１０の中心から位置ずれした位置に設けられていても、ホース７の案内が円滑に行える。また、このホース７の表面を伝って流れる水滴は、この漏斗状の挿通部３で、その中心方向の下側に集められ、挿通したホース７を伝ってその下端から水受けトレイ１５に滴下するため、キャビネット１０の背板１１側に流れたり、床面１４上に直接、滴下するおそれがない。
【００１９】
なお、挿通部３の背面側（図１において紙面の左奥側）を開放すると共に、その下端両側（図４において左右両側）を細長片４で連結することとすれば、金型の抜きが可能となるので、合成樹脂による一体成形が可能となる。なお、この細長片４は、挿通部３の必要な強度を保持するように作用すると共に、ホース７が背板１１に接触することを防止するようにも機能するものである。
【００２０】
なおまた、図示した実施の形態では、挿通部３として取付部２の前方に略半円弧状に突出したものを例示したが、この挿通部３は、上方が拡開した漏斗状のものであれば、どのようなものであっても良く、従って、取付部２の前方には、少なくとも円弧状に突出していれば良い。
【００２１】
【発明の効果】
以上説明したように、本発明のうち、請求項１記載の発明は、ホースガイドを板状の取付部と、取付部の前方に円弧状に突出し、上方が拡開した正面視、漏斗状の挿通部とからなるものとしたので、シャワーヘッドの取付位置に係わらず、ホースの出し入れが円滑に案内される。よって、取扱性が向上すると共に、無理な使用によるホースの損傷事故などが未然防止される。また、水滴も漏斗状の挿通部で集められ、下側のホースに伝わるように案内されるので、キャビネットの背板や床面が水滴で汚れたり、不潔になったりすることが防止されるという効果がある。
【００２２】
請求項２記載の発明は、ホースガイドをその挿通部の背面側が開放され、この挿通部の下端両側が細長片で連結されたものとしたので、成形用金型の構造が簡素化され、合成樹脂で容易に一体成形できる。よって、上記請求項１記載の発明の効果を奏するホースガイドをコスト低廉に、能率良く製造することができ、その利用が促進されるという効果がある。
【図面の簡単な説明】
【図１】本発明のホースガイドの実施形態を示した斜視図である。
【図２】ホースガイドを取り付けた洗面化粧台キャビネットの側面透視図である。
【図３】図１の要部の拡大断面図である。
【図４】ホースを挿通した状態を示したホースガイドの正面図である。
【図５】本発明のホースガイドを備えた洗面化粧台の一例を示した正面図である。
【図６】本発明のホースガイドを備えた洗面化粧台の他の例を示した正面図である。
【図７】本発明のホースガイドを備えた洗面化粧台のさらに他の例を示した正面図である。
【図８】ホースガイドの従来例を示した簡略斜視図である。
【符号の説明】
１  ホースガイド
２  取付部
２ａ  ねじ孔
３  挿通部
４  細長片
５  シャワーヘッド
６  水栓
７  ホース
１０  キャビネット
１１  背板
１２  カウンター
１３  収納部
１４  床面
１５  水受けトレイ
【図１】
2004339827.tif 000003
【図２】
2004339827.tif 000004
【図３】
2004339827.tif 000005
【図４】
2004339827.tif 000006
【図５】
2004339827.tif 000007
【図６】
2004339827.tif 000008
【図７】
2004339827.tif 000009
【図８】
2004339827.tif 000010